(57)【特許請求の範囲】
【請求項１】
複数の発光ダイオード放射体を備える前照灯であって、
前記発光ダイオード放射体のうち少なくとも第１の群の発光ダイオード放射体が、少なくとも２つの列と少なくとも２つの行を備えるマトリクスに配置されており、
前記第１の群の発光ダイオード放射体は、端子形式の異なるそれぞれ２つの電気端子を有しており、
当該第１の群では、第１の端子形式の電気端子が、列ごとにそれぞれ相互に電気接続されており、
第２の端子形式の電気端子は行ごとにそれぞれ相互に電気接続されており、
列の異なる前記第１の端子形式の電気端子は相互に電気絶縁されており、
行の異なる前記第２の端子形式の電気端子は相互に電気絶縁されており、
発光ダイオード放射体の少なくとも１つの第２の群が含まれており、該第２の群の発光ダイオード放射体は少なくとも２つの列と少なくとも２つの行とを有するマトリクスに配置されており、
前記第２の群の発光ダイオード放射体は、端子形式の異なるそれぞれ２つの電気端子を有しており、
当該第２の群では、第１の端子形式の電気端子が列ごとにそれぞれ相互に電気接続されており、
前記第２の端子形式の電気端子は行ごとにそれぞれ相互に電気接続されており、
列の異なる前記第１の端子形式の電気端子は相互に電気絶縁されており、
行の異なる前記第２の端子形式の電気端子は相互に電気絶縁されており、
前記前照灯は、前記第１と第２の群の少なくとも複数の発光ダイオード放射体が駆動され、前記第１の群もしくは前記第２の群、または、前記第１および第２の群の１つまたは複数の発光ダイオード放射体が駆動されず、
前記発光ダイオード放射体の少なくとも一部が前照灯放射円錐形を形成するために駆動され、当該駆動される複数の発光ダイオード放射体のうち第１の部分と第２の部分がシリアルパルスモードで駆動され、駆動される発光ダイオード放射体の別の部分が連続して駆動される前照灯機能を有する前照灯。
【請求項２】
半分以上の発光ダイオード放射体が前記第１の群に含まれている、請求項１に記載の前照灯。
【請求項３】
前記前照灯機能では、前記第１の群と少なくとも１つの別の群からなる発光ダイオード放射体が、駆動される発光ダイオード放射体の第１の部分もしくは第２の部分、または、第１の部分及び第２の部分に含まれており、
前記第２の群にある発光ダイオード放射体は、端子形式の異なるそれぞれ２つの電気端子を有しており、
当該第２の群では、第１の端子形式の電気端子が列ごとにそれぞれ相互に電気接続されており、
第２の端子形式の電気端子は行ごとにそれぞれ相互に電気接続されており、
列の異なる前記第１の端子形式の電気端子は相互に電気絶縁されており、
行の異なる前記第２の端子形式の電気端子は相互に電気絶縁されている、請求項１または２に記載の前照灯。
【請求項４】
前進移動手段用のフロントランプである、請求項１から３までのいずれか一項に記載の前照灯。
【請求項５】
異なる形に形成された前照灯放射円錐形を備える少なくとも２つの前照灯機能を有する、請求項１から４までのいずれか一項に記載の前照灯。
【請求項６】
直接隣接する少なくとも第１の群の発光ダイオード放射体が、互いに１００μｍ以下の間隔を有するか、または間隔を有していない、請求項１から５までのいずれか一項に記載の前照灯。
【請求項７】
複数のまたはすべての発光ダイオード放射体が１つの発光ダイオードチップに含まれているか、またはそれぞれ発光ダイオードチップからなる、請求項１から６までのいずれか一項に記載の前照灯。
【請求項８】
２つ以上の発光ダイオード放射体を有する少なくとも１つの発光ダイオードチップが含まれている、請求項１から７までのいずれか一項に記載の前照灯。
【請求項９】
前記第１の群の発光ダイオード放射体のすべてまたは大部分に対して、０．１Ａ超の駆動電流が設けられている、請求項１から８までのいずれか一項に記載の前照灯。
【請求項１０】
前記第１の群の発光ダイオード放射体のすべてまたは大部分に対して、０．５Ａ超の駆動電流が設けられている、請求項１から９までのいずれか一項に記載の前照灯。
【請求項１１】
前記第１の群の発光ダイオード放射体のすべてまたは大部分に対して、０．８Ａ超の駆動電流が設けられている、請求項１から１０までのいずれか一項に記載の前照灯。
【請求項１２】
前記第１の群と前記第２の群とは互いに電気的に絶縁されており、それぞれマトリクス相互接続されている、請求項１から１１までのいずれか一項に記載の前照灯。
【請求項１３】
前記第１の群及び前記第２の群のうちの少なくとも一つの群は、異なる数の発光ダイオード放射体を有する、少なくとも二つの列または少なくとも二つの行を備えている、請求項１から１２までのいずれか一項に記載の前照灯。
【発明の詳細な説明】
【技術分野】
【０００１】
本特許願は、ドイツ特許出願１０２００８０４９３９８．８の優先権を主張するものであり、その開示内容はここに参照として取り入れる。
【０００２】
本出願は、複数の発光ダイオード放射体を備える前照灯に関するものである。
【背景技術】
【０００３】
発光ダイオード構成素子の形で複数の発光ダイオード放射体を有する前照灯は公知である。発光ダイオード構成素子は、少なくとも一つの発光ダイオードチップが機械的かつ電気的に取り付けられた構成素子ハウジングを含む。
【先行技術文献】
【特許文献】
【０００４】
【特許文献１】ドイツ特許出願１０２００８０４９３９８．８
【発明の概要】
【発明が解決しようとする課題】
【０００５】
課題は、技術的に簡単に実現可能であり、種々の前照灯機能の実現に関してフレキシビリティの高い発光ダイオード放射体を備える前照灯を提供することである。種々の前照灯機能とは、とりわけ大きさおよび形状の異なる前照灯放射コーンの形成を含む。
【課題を解決するための手段】
【０００６】
少なくとも一つの第１の発光ダイオード放射体が、端子形式の異なるそれぞれ二つの電気端子を有し、少なくとも二つの行と少なくとも二つの列を有するマトリクスに配置されている。
【０００７】
第１の端子形式は、たとえば発光ダイオード放射体のアノードであり、第２の端子形式はたとえばカソードである。しかしその反対でも良く、発光ダイオード放射体の群が異なれば異なっていても良い。
【０００８】
マトリクスは、必ずしも整列された配置または対称の配置でなくて良い。マトリクスは基本的に不規則でも、平面で見て非対称の形状を有して良い。
【０００９】
第１の群では、第１の端子形式の端子が列ごとにそれぞれ電気的に相互に接続され、第２の端子形式の電気端子が行ごとにそれぞれ電気的に相互に接続される。列の異なる第１の端子形式の電気端子は互いに電気的に絶縁されており、異なる行の第２の端子形式の電気端子は互いに電気的に絶縁されている。一つの群の発光ダイオード放射体のこの形式の電気相互接続を、以下、マトリクス相互接続と称する。
【００１０】
したがって第１の群の発光ダイオード放射体は、それぞれ個別に導電接続されておらず、相互に完全に依存しないで制御することはできない。複数の発光ダイオード放射体の直列制御も、少なくとも第１の群では行われない。その代わりに、第１の群の個々の発光ダイオード放射体は、マトリクス相互接続で電気的に互いに接続されている。
【００１１】
この形式の相互接続によって、発光ダイオード放射体を制御するための電気端子の数を、個別制御と比較して低減することができる。同時に発光ダイオード放射体のこの種の接続は、異なる前照灯機能の実現に関して高いフレキシビリティを提供する。さらにこの形式の相互接続は、発光ダイオード放射体相互のとくに密な配置を可能にする。
【００１２】
前照灯は、マトリクスに配置されておらず、別の発光ダイオード放射体とマトリクス相互接続で導電接続された発光ダイオード放射体を有することもできる。
【００１３】
前照灯の実施形態によれば、第１の群が少なくとも二つの列と、少なくとも二つの行を有するマトリクスでの発光ダイオード放射体のただ一つの構成体であり、この実施形態では発光ダイオード放射体が、端子形式の異なる二つの電気端子をそれぞれ有し、第１の端子形式の電気端子は列ごとにそれぞれ相互に電気接続されており、第２の端子形式の電気端子は行ごとにそれぞれ相互に電気接続されており、列の異なる第１の端子形式の電気端子は相互に電気絶縁されており、行の異なる第２の端子形式の電気端子は相互に電気絶縁されている。この実施形態は、技術的に簡単に実現可能である。
【００１４】
前照灯の代替の実施形態では、発光ダイオード放射体の少なくとも一つの第２の群が含まれている。第２の群の発光ダイオード放射体は、端子形式の異なるそれぞれ二つの電気端子を有している。第２の群では、第１の端子形式の電気端子が列ごとにそれぞれ相互に電気接続されており、第２の端子形式の電気端子は行ごとにそれぞれ相互に電気接続されており、列の異なる第１の端子形式の電気端子は電気的に相互に絶縁されており、行の異なる第２の端子形式の電気端子は電気的に相互に絶縁されている。
【００１５】
ここで第２の群の第１の端子形式は、第１の群の第１の端子形式、または他の群の第１の端子形式と同じ端子形式である必要はない。一般的に接続では、列と行を入れ替えることができる。対応して各群はそれ自体でマトリクス相互接続を有し、行ごとに接続された第１の電気端子と、列ごとに接続された第２の電気端子を備えるか、またはその反対である。一つの群の中にある第１の電気端子と第２の電気端子は、異なる端子形式を有していなければならない。たとえば第１の群の第１の端子形式はカソードとすることができ、一方、第２の群の第１の端子形式はアノードである。これはもちろん反対でも良い。第１の群の第１の端子形式が、２の群の第１の端子形式と同じであっても良いことは理解されよう。
【００１６】
第１の群の発光ダイオード放射体の第１の電気端子は、第２の群の発光ダイオード放射体の電気端子から電気的に絶縁されている。
【００１７】
少なくとも二つの発光ダイオード放射体の群を備え、発光ダイオード放射体がそれぞれ上記のマトリクス相互接続を有する前照灯の実施形態は、実現すべき特定の前照灯機能のために、一つのマトリクス相互接続を有する発光ダイオード放射体のただ一つの群を備える前照灯よりも改善された制御可能性を提供する。
【００１８】
発光ダイオード放射体の第１の群と第２の群を備える前照灯の改善形態では、前照灯が、第１の群と第２の群のうちの少なくともただ一つの発光ダイオード放射体が駆動される前照灯機能を有する。第１の群、第２の群、または第１と第２の群の一つまたは複数の発光ダイオード放射体が、この前照灯機能では駆動されない。この手段によっても、発光ダイオード放射体の有利な制御が実現される。基本的に多数の発光パターンを形成することができ、このパターンにより新種の前照灯機能が可能になる。
【００１９】
前照灯の付加的な実施形態では、発光ダイオード放射体の半分以上が第１の群に含まれている。
【００２０】
前照灯の実施形態では、発光ダイオード放射体の少なくとも一部が前照灯放射コーンを形成するために駆動され、この駆動される発光ダイオード放射体の第１の部分と第２の部分がシリアルパルスモードで駆動されるという前照灯機能を有する。したがってこの前照灯機能では、駆動される発光ダイオード放射体の第１および第２の部分が休みなく駆動されるのではなく、それぞれ常にオン・オフされる。
【００２１】
シリアルパルスモードを備える前照灯機能には、発光ダイオード放射体のさらなる部分が連続して駆動される別の実施形態が付加的に設けられている。
【００２２】
シリアルパルスモードによる前照灯機能を備える前照灯の実施形態では、さらなる改善で、この前照灯機能においては、第１の群と、第１の部分にある少なくとも一つの別の群とからなる発光ダイオード放射体が、駆動される発光ダイオード放射体の第２の部分に含まれるか、または第１の部分と第２の部分に含まれる。第２の群にある発光ダイオード放射体は、少なくとも二つの列と少なくとも二つの行を備えるマトリクスに配置されている。第２の群では、第１の群と同じように、マトリクス相互接続を備える発光ダイオードチップが相互に電気接続されている。
【００２３】
別の群の電気端子の第１の端子形式は、第１の群の電気端子の第１の端子形式と同じであってはならない。別の群は、発光ダイオード放射体の第２の群または第３の群、またはその他の別の群であって良い。
【００２４】
好ましい実施形態では前照灯は、前進移動手段、とりわけ自動車のためのフロントランプである。
【００２５】
前照灯は実施形態によれば、少なくとも二つの異なる前照灯機能を有し、これらにより形状の異なる前照灯放射コーンを放射することができる。
【００２６】
この前照灯で、少なくとも第１の群の直接隣接する発光ダイオード放射体は、１００μｍ以下の間隔を有するか、または間隔を有しない。
【００２７】
前照灯の有利な実施形態では、ただ一つの発光ダイオード放射体またはすべての発光ダイオード放射体が、一つまたは複数の発光ダイオードチップからなる。したがってこのような発光ダイオード放射体は、発光ダイオードチップが組み込まれた構成素子ハウジングを備える構成素子ではなく、ハウジングのない発光ダイオードチップとして前照灯に直接組み込まれる。
【００２８】
前照灯の別の構成では、二つ以上の発光ダイオード放射体を有する少なくとも一つの発光ダイオードチップが含まれている。二つ以上の発光ダイオード放射体を一つの発光ダイオードチップに組み込むことによって、発光ダイオード放射体の相互間隔がさらに減少され、発光密度の高い前照灯が実現される。基本的に一つの群のすべての発光ダイオード放射体を、ただ一つの発光ダイオードチップに組み込むことができる。
【００２９】
前照灯の別の構成では、第１の群に、または存在する場合には第２の群または他の群に、少なくとも一つの発光ダイオード放射体が隣接する。少なくとも一つの発光ダイオード放射体の電気端子の一つが、対応する群の列または行の端子に相互に電気接続されている。
【００３０】
前照灯の好ましい実施形態では、発光ダイオード放射体のそれぞれが、０．１Ａ超の駆動電流により、好ましくは０．５Ａ超、とりわけ好ましくは０．８Ａ超の駆動電流により駆動される。
【００３１】
発光ダイオード放射体のそれぞれの群のマトリクスは、必ずしも対称性マトリクスでなくても良く、すべての行がそれぞれ同数の発光ダイオード放射体を有し、すべての列が同様にそれぞれ同数の発光ダイオード放射体を有する必要はない。その代わりに、一つまたは複数の行が、他の行よりも多くのまたは少ない発光ダイオード放射体を有することができる。同じことが群の列に対しても当てはまる。
【００３２】
本発明のさらなる利点および有利な実施形態は、図面に関連して説明する以下の実施形態から明らかとなる。
【図面の簡単な説明】
【００３３】
【図１】第１実施例による前照灯の発光ダイオード放射体の配置と電気接続を概略的に示す平面図である。
【図２】第２実施例による前照灯の発光ダイオード放射体の配置と電気接続を概略的に示す平面図である。
【図３】第３実施例による前照灯の発光ダイオード放射体の概略的平面図である。
【図４】第４実施例による前照灯の発光ダイオード放射体の概略的平面図である。
【図５】第５実施例による前照灯の発光ダイオード放射体の概略的平面図である。
【図６】第６実施例による前照灯の発光ダイオード放射体の概略的平面図である。
【図７】図６に示された二つの発光ダイオード放射体の概略的側面図である。
【図８】第７実施例による前照灯の発光ダイオード放射体の一部の概略的平面図である。
【図９】図８に示された二つの発光ダイオード放射体の概略的側面図である。
【発明を実施するための形態】
【００３４】
実施例および図面中、同じ構成部材または同じように作用する構成部材には同じ参照符合が付してある。図示の構成部材ならびに構成部材の相互の大きさの比は、縮尺通りではない。むしろより良く理解するための図面の一部の詳細が、大きく誇張して図示されている。
【００３５】
図面にはそれぞれの前照灯の発光ダイオード放射体と、これら相互の電気接続および配置だけが図示されている。
【００３６】
たとえば発光ダイオード放射体が配置された前照灯の支持体、照射方向で発光ダイオード放射体に後置された光学系、前照灯の電子制御回路、発光ダイオード放射体を電子制御し、前照灯の種々の前照灯機能を調整」するための電子制御回路は図示されていない。これらの詳細の一部またはすべてを前照灯に含めることができる。
【００３７】
当業者には、一般的前照灯のこの種の詳細の実施形態は公知である。したがって分かりやすくするため、この種の詳細の説明は図面中に省略する。
【００３８】
図１には、前照灯の第１実施例の複数の発光ダイオード放射体が示されている。前照灯は、発光ダイオード放射体Ｌからなる第１の群２１を有する。すべての発光ダイオード放射体Ｌが、第２の群２１に含まれている。発光ダイオード放射体Ｌは、ｎ行ｘ１からｘｎと、ｍ列ｙ１からｙｍを備えるマトリクスに配置されている。
【００３９】
発光ダイオード放射体Ｌの行ｘまたは列ｙ内での配置は、図示のように直線に沿って行うことができる。しかしこれは必須ではない。むしろ列または行ｘ、ｙは、湾曲したラインまたは折れ曲がったラインに沿って意は位置された発光ダイオード放射体Ｌにより形成することもできる。直線に沿って配置されている場合でも、列と行は必ずしも互いに平行に配向されなくても良い。
【００４０】
列または行の概念は、本願との関係で、発光ダイオード放射体Ｌの相対的接続に関連するものであり、発光ダイオード放射体の特別の幾何配置からは十分に独立している。一行と一列の発光ダイオード放射体が、前照灯の実施形態では、それぞれ空間的に直接続いている。すなわち所定の行ｘの発光ダイオード放射体Ｌの間には、別の行の発光ダイオード放射体は配置されない。
【００４１】
第１の群２１では、第１の端子形式の電気端子が、各列ｙでそれぞれ相互に電気接続されている。第２の端子形式の電気端子は、各行ｘでそれぞれ相互に電気接続されている。
【００４２】
第１の端子形式の電気端子は行ごとにそれぞれ電気導体１１と互いに導電接続されている。対応して第２の端子形式の電気端子は、列ごとにそれぞれ電気導体１２と互いに電気接続されている。電気導体１１、１２はそれぞれワンピースに構成することができる。しかし択一的に、電気導体１１、１２はそれぞれ複数の部分部材を有していても良く、これらは空間的に互いに離間することができる。
【００４３】
第１の群の発光ダイオード放射体Ｌがこのようにマトリクス相互接続されていることによって、発光ダイオード放射体Ｌの効率的な制御が可能になり、基本的に多数の異なる放射パターンまたは放射コーンが前照灯により実現される。
【００４４】
行ｘ１と列ｙｍに電圧が印加されると、ただ一つの発光ダイオード放射体Ｌ１ｍが発光する。行ｘｎと列ｙ１に電圧が印加されると、ただ一つの発光ダイオード放射体Ｌｎ１が発光する。ここで追加で列ｙｍに電圧が印加されると、Ｌｎ１に加えてＬｎｍが発光する。すべての列ｙ１からｙｍまでと、すべての行ｘ１からｘｎまでに電圧が印加されると、第１の群２１のすべての発光ダイオード放射体Ｌが発光する。
【００４５】
第１の群２１発光ダイオード放射体Ｌをシリアルパルスモードで制御すれば、第１の群２１の任意の数の発光ダイオード放射体を使用して前照灯放射コーンが実現される。さらに、一つまたはすべての発光ダイオード放射体を持続的に駆動することも、または第１の群２１の制御電子回路に、駆動される発光ダイオード放射体Ｌの一部が持続的に駆動され、別の一部はパルスモードで駆動される前照灯機能を設けることも当然可能である。
【００４６】
特定の放射パターンを実現するためには、パルスモードで連続的に順次駆動される発光ダイオード放射体Ｌのサブ群の数が、不利なほどに大きくなることがあるから、図２に示した実施例では、第１の群２１の発光ダイオード放射体Ｌがマトリクス相互接続に設けられているだけでなく、付加的に第２の群２２、第３の群２３および第４の群２４が設けられている。
【００４７】
基本的に、発光ダイオード放射体Ｌが前記のようにマトリクス相互接続で相互に電気接続された、任意の数の群が存在して良い。複数の発光ダイオード放射体があっても、前照灯のすべての発光ダイオード放射体を非常に密に取り付けることができ、配線またはその他の接続のための間隔は必要ない。
【００４８】
図２に示した前照灯では、たとえば行と列ｘ１１、ｙ１１、ｙ１ｍ；ｘ３ｎ、ｙ３１、ｙ３ｍ；およびｘ４１、ｙ４１およびｙ４ｍの制御により、もっぱら発光ダイオード放射体Ｌ１１１、Ｌ１１ｍ、Ｌ３ｎ１、Ｌ３ｎｍ、およびＬ４１ｍが駆動される。発光ダイオード放射体Ｌの指数は一桁目が群の番号、二桁目が行、三桁目が列を表わす。
【００４９】
図３に示した第３実施例では、種々の前照灯機能用の発光ダイオード放射体Ｌに参照符合が付してある。発光ダイオード放射体１は第１の前照灯機能用であり、発光ダイオード放射体２は第２の前照灯機能用であり、発光ダイオード放射体３は第３の前照灯機能用である。
【００５０】
第１の前照灯機能では、発光ダイオード放射体１だけが駆動される。前照灯のすべての発光ダイオード放射体が第１の群２１に含まれており、マトリクス相互接続により電気的に相互に接続されているから、そのためにはシリアルパルスモードが必要である。第１の前照灯機能はたとえば、放射された前照灯放射コーンの上の部分の断面が約１５°の屈曲を有する、自動車用のロービームに相当する。これは図３に太い黒線により示されており、対応して約１６５度の角度をなす。
【００５１】
第２の前照灯機能では、発光ダイオード放射体１に加えて発光ダイオード放射体２が駆動される。これもパルスモードで行われる。
【００５２】
第３の前照灯機能では、たとえばすべての発光ダイオード放射体１，２，３が駆動される。これはたとえば、発光ダイオード放射体の連続モードで行われる。第３の前照灯機能はたとえば、自動車用のハイビームである。
【００５３】
図４に示された第４実施例では、第３実施例とは異なり前照灯が、第１の群２１と第２の群２２の発光ダイオード放射体Ｌを有する。群２１と２２は電気的に互いに絶縁されており、これは破線により示されている。二つの群２１，２２に分割して相互接続することにより、たとえば第１の群２１の発光ダイオード放射体は、三つすべての前照灯機能で持続的に駆動される。これに対して、第２の群の発光ダイオード放射体では、第１の前照灯機能のためにパルスモードが必要である。
【００５４】
図５に示された第５実施例で前照灯は同様に、第１の群２１と第２の群２２の発光ダイオード放射体Ｌを有する。しかし第４実施例とは異なり、第１の群２１と第２の群２２との境界が異なっている。境界は点線によって示されている。この群の別の行または列よりも多くの発光ダイオード放射体を有する行または列が各群に存在するように、群が形成されている。
【００５５】
群２１、２２をこのように分割することによって、三つすべての前照灯機能を発光ダイオード放射体の連続モードによってのみ実現することができる。補足すると、たとえば別の新規の前照灯機能のためにパルスモードを設けることももちろんできる。
【００５６】
発光ダイオード放射体は好ましくは、発光ダイオードチップ４０の形で前照灯に組み込まれている。これは図６と７に示されている。
【００５７】
第１の端子形式の電気端子５１がたとえば、発光ダイオードチップ４０の主放射方向でこの発光ダイオードチップ４０に向いた側に形成されている。この電気端子５１は、たとえばボンディングパッドの形態に構成することができる。
【００５８】
電気端子５１はたとえばボンディングワイヤ１１によって、行ごとまたは列ごとに互いに導電接続されている。ボンディングワイヤの代わりに、この電気端子５１を任意の他の公知の電気接続手段により相互に接続することができる。
【００５９】
第２の端子形式の電気端子５２がたとえば、発光ダイオードチップ４０の主放射方向でこの発光ダイオードチップ４０の反対側に形成されている。図７参照。複数のこの電気端子５２を、たとえば導体路によって接続することができ、この導体路の上に電気端子を導電的に、たとえばハンダ付けまたは導線性接着剤によって取り付けることができる。
【００６０】
各発光ダイオードチップは、たとえばエピタクシャル半導体層列４１と基板または支持本体５３を有する。エピタクシャル半導体層列４１はアクティブなゾーンを含み、このゾーンは電磁光線を放射する。エピタクシャル半導体層列は、たとえばＩＩＩ／Ｖ化合物半導体材料を備える、またはこの材料からなる複数の層を有する。
【００６１】
ＩＩＩ／Ｖ化合物半導体材料は、第３主群の元素、たとえばＢ，Ａｌ，Ｇａ，Ｉｎと、第５主群の元素、たとえばＮ，Ｐ，Ａｓを有する。とりわけ用語「ＩＩＩ／Ｖ化合物半導体材料」は、第３主群からの少なくとも一つの元素と、第５主群からの少なくとも一つの元素、たとえば窒化化合物半導体およびリン化化合物半導体材料を含む二元性、三元性または四元性の化合物である。このような二元性、三元性または四元性化合物は、たとえば１つまたは複数のドープ物質と付加的な構成部分を有することができる。
【００６２】
別の構成では、発光ダイオードチップが薄膜発光ダイオードチップである。とりわけ薄膜発光ダイオードチップは支持体基板を有する。薄膜発光ダイオードチップは、少なくとも一つの以下の特徴を有する。
【００６３】
・支持体素子、とりわけ支持体基板に向いたエピタクシャル半導体層列の主面に反射層が取り付けられ、または形成されており、この反射層は、半導体層列内で形成された電磁光線の少なくとも一部をこの半導体層列にバック反射する。
【００６４】
・薄膜発光ダイオードチップが支持エレメントを有し、この支持エレメントは、支持エレメントの上に半導体層列がエピタクシャルに成長された成長基板ではなく、後から半導体層列に取り付けられた別個の支持エレメントである。
【００６５】
・半導体層列は、２０μｍ以下の範囲の厚さ、とりわけ１０μｍ以下の範囲の厚さを有する。
【００６６】
・半導体層列には成長基板がない。ここで「成長基板がない」とは、場合により成長に用いられる成長基板が半導体層列から除去されているか、または少なくとも非常に薄くされていることを意味する。とりわけ、それ自体が、またはエピタクシャル層列と共に、単独では片持ちされないように薄くされている。非常に薄くされた成長基板の残りの部分は、成長基板の残りの機能には適しない。
【００６７】
・半導体層列が、混合構造を有する少なくとも１つの面を備えた少なくとも１つの半導体層を含み、理想的な場合にはこの混合構造により半導体層列内にほぼエルゴード的な光分布が生じる。つまりこの光分布は有利には可能な限りエルゴード的な確率分散特性を有している。一般的に言って、混合構造は、電磁光線を偏向または散乱するのに適した構造を有する。
【００６８】
この種の薄膜発光ダイオードチップの原理については、たとえばI. Schnitzer等によるAppl. Phys. Lett. ６３ (１６), １８. Oktober １９９３, ２１７４-２１７６に記載されており、この開示内容を本願の参考文献とする。ＥＰ０９０５７９７Ａ２およびＷＯ０２／１３２８１Ａ１に、薄膜発光ダイオードチップの例が記載されている。その点に関しては、これらの開示内容は引用によって本発明に含まれるものとする。
【００６９】
薄膜発光ダイオードチップは良好な近似で、ランベルト表面放射器であり、したがって投光装置、とりわけ時土砂前照灯における用途に適している。
【００７０】
図８と９に示された実施例では、前記の図６と７に基づいて示した実施例とは異なり、二つの発光ダイオードチップＬがただ一つの発光ダイオードチップ４０により形成されている。たとえば発光ダイオードチップ４０は、エピタクシャル半導体層列の二つの領域を有し、これらの領域は直接電気的に接続されておらず、基板または支持本体４０を介して接続されている。半導体層列４１のこの二つの部分はそれぞれ固有の電気端子５１を有し、したがって二つの発光ダイオード放射体Ｌがチップ４０内に効率的に形成され、これらを互いに独立して制御することができる。
【００７１】
基本的に、任意の数の発光ダイオード放射体が、ただ一つの発光ダイオードチップ４０に組み込まれている。たとえば前照灯の発光ダイオード放射体の群の一つの群の全部の行または全部の列を、ワンピースに形成され、長く伸長された発光ダイオードチップに組み込むことができる。
【００７２】
たとえば前照灯の発光ダイオード放射体のすべての群を、ただ一つの発光ダイオードチップに形成することができる。この場合、相互接続が少なくとも部分的に発光ダイオードチップ４０の内部で保証される。すなわち発光ダイオードチップは、発光ダイオード放射体Ｌのマトリクス相互接続が少なくとも部分的にすでにその内部で実現されているように作製される。
【００７３】
本発明は、実施例に基づく本発明の説明によってこれに限定されるものではない。むしろ本発明はいずれの新規の特徴、ならびに特徴のいずれの組み合わせも含むものであり、これらの特徴またはこれらの組み合わせが明示的に特許請求の範囲または実施例に記載されていなくても、とりわけ請求の範囲の特徴のいずれの組み合わせも含むものである。
【図１】
0005575132.tif 000002
【図２】
0005575132.tif 000003
【図３】
0005575132.tif 000004
【図４】
0005575132.tif 000005
【図５】
0005575132.tif 000006
【図６】
0005575132.tif 000007
【図７】
0005575132.tif 000008
【図８】
0005575132.tif 000009
【図９】
0005575132.tif 000010